(57)【要約】      （修正有）【課題】食材が均一に加熱され、不均一な水吸収作用を改善する内部ポット、及びそれを用いる電気炊飯器及び電気圧力調理器を提供する。【解決手段】内部ポット１３０はポット壁１３２をその中心軸の回りに回転させて形成され上部開口部１３１を有する回転体であり、以下のａ）及びｂ）を満たす。  ａ）内部ポットの寸法は、２  ＜  Ｄ／Ｈ  ≦  ３（ここで、Ｄは、上部開口部の内径、Ｈは、内部ポットの内側チャンバの高さである）を満たし、  ｂ）ポット壁の上側部分は真直ぐな壁１３３であり、一方、ポット壁１３２の下側部分は円弧形状の壁であり、円弧形状の壁１３４は真直ぐな壁に接続され、内部ポットの寸法は１／３  ＜  Ｈ１／Ｈ  ＜  ０．６５（ここで、Ｈは内部ポットの高さであり、そして、Ｈ１は真直ぐな壁の高さである）を満たす。【選択図】図１
0003226919.tif 000002
【実用新案登録請求の範囲】
【請求項１】
内部ポットであって、前記内部ポットはポット壁をその中心軸の回りに回転させて形成され上部開口部を有する回転体であり、
ａ）前記内部ポットの寸法は、次の条件：２ < Ｄ/ Ｈ≦ ３（ここで、Ｄは、前記上部開口部の内径、Ｈは、前記内部ポットの内側チャンバの高さである）を満たし、
ｂ）前記ポット壁の上側部分は真直ぐな壁であり、一方、前記ポット壁の下側部分は円弧形状の壁であり、前記円弧形状の壁は真直ぐな壁に接続され、前記内部ポットの寸法は以下の条件：１／３ <Ｈ１ /Ｈ < ０．６５（ここで、Ｈは内部ポットの高さであり、そして、Ｈ１は真直ぐな壁の高さである）を満たすことを特徴とする内部ポット。
【請求項２】
前記ポット壁は、前記上部開口部に配置され、外方に延在している折り返し縁を含んでいることを特徴とする請求項１に記載の内部ポット。
【請求項３】
前記折り返し縁は、前記ポット壁を外側に曲げることによって形成される折り返し部分と、前記折り返し部分の下側に設けられた肥厚リングとを含むことを特徴とする請求項２に記載の内部ポット。
【請求項４】
前記折り返し縁は、前記上部開口部を囲む第一の環状部材を含むことを特徴とする請求項２に記載の内部ポット。
【請求項５】
前記折り返し縁は、前記上部開口部に接続された第二の環状部材で構成されることを特徴とする請求項２に記載の内部ポット。
【請求項６】
前記折り返し縁の合計厚さＴ１は、次の条件：Ｔ１ ≧４ｍｍを満たすことを特徴とする請求項２〜５のいずれか一項に記載の内部ポット。
【請求項７】
前記折り返し縁は、前記ポット壁に相対する膨らみ部分を有し、前記膨らみ部分の厚さＴ２が次の条件：Ｔ２ ≧２ｍｍを満たすことを特徴とする請求項２〜５のいずれか一項に記載の内部ポット。
【請求項８】
前記内部ポットの底部は、平面ベースを含み、前記平面ベースの直径Ｄ１が以下の条件：１０ｍｍ ≦Ｄ１ ≦０．５Ｄを満たす請求項１に記載の内部ポット。
【請求項９】
前記内部ポットの容量ＱがＱ ≦４Ｌの条件を満たしている場合、前記内部ポットの寸法が次の条件：２．１ < Ｄ /Ｈ <２．８を満たす請求項１に記載の内部ポット。
【請求項１０】
前記真直ぐな壁の高さＨ１は、次の条件：０．４５ <Ｈ１/ Ｈ <０．５５を満たすことを特徴とする請求項１に記載の内部ポット。
【請求項１１】
前記真直ぐな壁は、内部ポットの中心軸と平行、または特定の角度αを形成していることを特徴とする請求項１に記載の内部ポット。
【請求項１２】
前記角度αの値の範囲は、０°≦ α ≦ ３０°であることを特徴とする請求項１１に記載の内部ポット。
【請求項１３】
前記角度αの値の範囲は、０°≦ α ≦１５°であることを特徴とする請求項１１に記載の内部ポット。
【請求項１４】
前記内部ポットの容量Ｑが４Ｌ<Ｑ ≦６Ｌの条件を満たしている場合は、前記上部開口部の内径Ｄが次の条件： ２４０ｍｍ ≦Ｄ ≦２８０ｍｍを満たすことを特徴とする請求項１に記載の内部ポット。
【請求項１５】
電気炊飯器であって、前記電気炊飯器は、
内側に内部ポットおよび任意選択的に温度測定装置が設けられる調理器本体であって、前記内部ポットはポット壁をそれの中心軸の回りに回転させることにより形成される回転体で、上部開口部を有しており、
ａ）前記内部ポットの寸法は次の条件：２ <Ｄ/Ｈ≦３（ここで、Ｄは前記上部開口部の内径であり、Ｈは前記内部ポットの内側チャンバの高さである）を満たし、
ｂ）前記ポット壁の上側部分は真直ぐな壁であり、一方、前記ポット壁の下側部分は円弧形状の壁であり、前記円弧形状の壁は真直ぐな壁に接続され、前記内部ポットの寸法は以下の条件：１／３ <Ｈ１/Ｈ < ０．６５（ここで、Ｈは内部ポットの高さであり、そして、Ｈ１は真直ぐな壁の高さである）を満たす調理器本体と、
蓋本体であって、前記調理器本体の上方に旋回可能に接続され、または、前記調理器本体の上方に開閉可能な方式で設けられ、前記蓋本体と前記内部ポットの間に調理用空間を形成するべく構成されている蓋本体と、を含む電気炊飯器。
【請求項１６】
移行隅肉部分が、前記円弧形状の壁と前記真直ぐな壁との接合部に設けられ、前記移行隅肉部分の内側表面の半径Ｒは、次の条件：Ｒ ≦ １５ｍｍを満たす請求項１５に記載の電気炊飯器。
【請求項１７】
前記内部ポットの容量ＱがＱ≦４Ｌの条件を満たしている場合、前記内部ポットの寸法が次の条件：２．１ <Ｄ/Ｈ < ２．８を満たす請求項１５に記載の電気炊飯器。
【請求項１８】
前記真直ぐな壁の高さＨ１は、次の条件：０．４５ <Ｈ１/Ｈ <０．５５を満たす請求項１７に記載の電気炊飯器。
【請求項１９】
前記真直ぐな壁は、内部ポットの中心軸と平行または特定の角度αを形成していることを特徴とする請求項１５に記載の電気炊飯器。
【請求項２０】
前記角度αの値の範囲は、０°≦ α ≦３０°であることを特徴とする請求項１９に記載の電気炊飯器。
【請求項２１】
前記角度αの値の範囲は、０°≦ α ≦１５°であることを特徴とする請求項１９に記載の電気炊飯器。
【請求項２２】
前記ポット壁は、前記上部開口部に配置され、外方に延在している折り返し縁を含んでいることを特徴とする請求項１５に記載の電気炊飯器。
【請求項２３】
前記折り返し縁は、前記ポット壁を外側に曲げることによって形成される折り返し部分と、前記折り返し部分の下側に設けられた肥厚リングとを含むことを特徴とする請求項２２に記載の電気炊飯器。
【請求項２４】
前記折り返し縁は、前記上部開口部を囲む第一の環状部材を含むことを特徴とする請求項２２に記載の電気炊飯器。
【請求項２５】
前記折り返し縁は、前記上部開口部に接続された第二の環状部材で構成されることを特徴とする請求項２２に記載の電気炊飯器。
【請求項２６】
前記折り返し縁の合計厚さＴ１は、次の条件：Ｔ１≧ ４ｍｍを満たすことを特徴とする請求項２２〜２５のいずれか一項に記載の電気炊飯器。
【請求項２７】
前記折り返し縁は、前記ポット壁に相対する膨らみ部分を有し、前記膨らみ部分の厚さＴ２が次の条件：Ｔ２≧２ｍｍを満たすことを特徴とする請求項２２〜２５のいずれか一項に記載の電気炊飯器。
【請求項２８】
前記ポット壁の厚さはＴ３であり、そして前記折り返し縁の高さＨ２は、次の条件：Ｔ３ ≦Ｈ２≦Ｈ１を満たすことを特徴とする請求項２２〜２５のいずれか一項に記載の電気炊飯器。
【請求項２９】
前記内部ポットの底部は、平面ベースを含み、前記平面ベースの直径Ｄ１は次の条件：１０ｍｍ ≦Ｄ１≦０．５Ｄ（ここで、Ｄは前記上部開口部の内径である）を満たすことを特徴とする請求項１５に記載の電気炊飯器。
【請求項３０】
前記内部ポットの容量Ｑが４Ｌ <Ｑ ≦６Ｌの条件を満たしているとき、前記上部開口部の内径Dは次の条件：２４０ｍｍ ≦Ｄ≦２８０ｍｍを満たすことを特徴とする請求項１５に記載の電気炊飯器。
【請求項３１】
電気圧力調理器であって、
内側に内部ポットおよび任意選択的に温度測定装置が設けられた調理器本体であって、
前記内部ポットは、ポット壁をその中心軸の回りに回転させることによって形成され、上部開口部を有する回転体であり、
ａ）前記内部ポットの寸法は次の条件：２ <Ｄ/Ｈ ≦３（ここで、Ｄは前記上部開口部の内径であり、Ｈは前記内部ポットの内側チャンバの高さである）を満たし、
ｂ）前記ポット壁の上側部分は真直ぐな壁であり、一方、前記ポット壁の下側部分は円弧形状の壁であり、前記円弧形状の壁は真直ぐな壁に接続され、前記内部ポットの寸法は以下の条件：１／３<Ｈ１/Ｈ<０．６５（ここで、Ｈは内部ポットの高さであり、そして、Ｈ１は真直ぐな壁の高さである）を満たし、調理器本体留め金構造が前記調理器本体に設けられた調理器本体と、
蓋本体留め金機構が設けられている蓋本体であって、前記蓋本体留め金機構を調理器留め金構造に留めることによって、前記蓋本体は前記調理器本体に旋回可能に接続され、そして、前記蓋本体が前記調理器本体を覆うとき、前記蓋本体と前記内部ポットの間に調理用空間が形成される蓋本体と、を含む電気圧力調理器。
【請求項３２】
移行隅肉部分が、前記円弧形状の壁と前記真直ぐな壁との接合部に設けられ、前記移行隅肉部分の内側表面の半径Ｒは、次の条件：Ｒ≦１５ｍｍを満たす請求項３１に記載の電気圧力調理器。
【請求項３３】
前記内部ポットの容量ＱがＱ≦４Ｌの条件を満たしている場合、前記内部ポットの寸法が次の条件：２．１ <Ｄ /Ｈ <２．８を満たす請求項３１に記載の電気圧力調理器。
【請求項３４】
前記真直ぐな壁の高さＨ１は、次の条件：０．４５ <Ｈ１/Ｈ<０．５５を満たす請求項３３に記載の電気圧力調理器。
【請求項３５】
前記真直ぐな壁は、内部ポットの中心軸と平行または特定の角度αを形成していることを特徴とする請求項３１に記載の電気圧力調理器。
【請求項３６】
前記角度αの値の範囲は、０°≦ α ≦３０°であることを特徴とする請求項３５に記載の電気圧力調理器。
【請求項３７】
前記角度αの値の範囲は、０°≦ α ≦１５°であることを特徴とする請求項３６に記載の電気圧力調理器。
【請求項３８】
前記ポット壁は、前記上部開口部に配置され、外方に延在している折り返し縁を含んでいることを特徴とする請求項３１に記載の電気圧力調理器。
【請求項３９】
前記折り返し縁は、前記ポット壁を外側に曲げることによって形成される折り返し部分と、前記折り返し部分の下側に設けられた肥厚リングとを含むことを特徴とする請求項３８に記載の電気圧力調理器。
【請求項４０】
前記折り返し縁は、前記上部開口部を囲む第一の環状部材を含むことを特徴とする請求項３８に記載の電気圧力調理器。
【請求項４１】
前記折り返し縁は、前記上部開口部に接続された第二の環状部材で構成されることを特徴とする請求項３８に記載の電気圧力調理器。
【請求項４２】
前記折り返し縁の合計厚さＴ１は、次の条件：Ｔ１ ≧４ｍｍを満たすことを特徴とする請求項３８〜４１のいずれか一項に記載の電気圧力調理器。
【請求項４３】
前記折り返し縁は、前記ポット壁に相対する膨らみ部分を有し、前記膨らみ部分の厚さＴ２が次の条件：Ｔ２≧２ｍｍを満たすことを特徴とする請求項３８〜４１のいずれか一項に記載の電気圧力調理器。
【請求項４４】
前記ポット壁の厚さはＴ３であり、そして前記折り返し縁の高さＨ２は、次の条件：Ｔ３ ≦Ｈ２≦Ｈ１を満たすことを特徴とする請求項３８〜４１のいずれか一項に記載の電気圧力調理器。
【請求項４５】
前記内部ポットの底部は、平面ベースを含み、前記平面ベースの直径Ｄ１は次の条件：１０ｍｍ ≦Ｄ１≦ ０．５Ｄ（ここで、Ｄは前記上部開口部の内径である）を満たすことを特徴とする請求項３１に記載の電気圧力調理器。
【請求項４６】
前記内部ポットの容量Ｑが４Ｌ<Ｑ≦６Ｌの条件を満たしているとき、前記上部開口部の内径Dは次の条件：２４０ｍｍ ≦Ｄ≦２８０ｍｍを満たすことを特徴とする請求項３１に記載の電気圧力調理器。
【考案の詳細な説明】
【技術分野】
【０００１】
本考案は、調理器具の技術分野に関し、特に、内部ポット（内釜）、電気炊飯器並びに電気圧力調理器に関する。
【背景技術】
【０００２】
既存の内部ポットは、均一温度への上昇作用を達成するために、内部ポットの形状を整
え、そしてある区域を加熱することによって、沸騰後に水がパンの中で循環するのを許容するように、基本的には、設計されている。しかしながら、そのような内部ポットは、水が沸騰する、すなわち、調理の水吸収段階の前に水の回転対流を生じさせる沸騰気泡が存しないせいで、不均一な水温をもたらす。一般に、米飯の水吸収作用は温度と大きく関係しており、不均一な温度は不均一な水吸収作用をもたらす。結果として、不均一な水吸収作用は不均一に調理された米飯を生じさせる。
【０００３】
また、現在において、通常の家庭で使用されている調理器具の内部ポットは、その限られている形状のせいで、通常、小さな加熱領域を有しており、水温が不均一になる蓋然性が高い。
【考案の概要】
【考案が解決しようとする課題】
【０００４】
しかしながら、一般的に、米飯の水吸収作用は温度と大きく関係しており、不均一な温度は不均一な水吸収作用をもたらす。結果として、不均一な水吸収作用は不均一に調理された米飯を生じさせる。本出願は、上記の問題を少なくとも部分的に解決するために、改良された内部ポット、電気炊飯器、および電気圧力調理器を提供するのが望ましい。
【０００５】
したがって、上記の問題を少なくとも部分的に解決するための、内部ポット、電気炊飯器、および電気圧力調理器を提供する必要性が存している。
【課題を解決するための手段】
【０００６】
一連の簡略化された概念が本考案の概要に導入され、そして、特定の実施形態においてさらに詳しく説明されるであろう。本考案の概要は、保護されるべく求められている技術的解決策の主要な特徴および本質的な技術的特徴を定義するようには意図されておらず、そしてまた、保護されるべく求められている技術的解決策を定義するようには意図されていない。
【０００７】
一方で、上記の問題を少なくとも部分的に解決するために、本考案は、内部ポットを開示し、内部ポットはポット壁をその中心軸の回りに回転させて形成され上部開口部を有する回転体であり、内部ポットの寸法は、次の条件：２＜Ｄ／Ｈ≦３を満たし、ここで、Ｄは、上部開口部の内径、Ｈは、内部ポットの内側チャンバの高さである。
【０００８】
本考案の内部ポットでは、内部ポットの内側チャンバの高さに対する上部開口部の内径の比率を上記範囲内に設定することによって、内部ポットの上部開口部がより広くなり、且つ内部ポットの高さは比較的小さくてもよいので、その結果、内部ポット内の食材の厚さが効果的に減少され、且つ内部ポットの加熱領域が効果的に増大されている。結果として、食材は、特に、内部ポット内の液体が沸騰していなかった場合にも、均一に加熱され得る。
【０００９】
好ましくは、ポット壁は、上部開口部に配置され、外方に延在している折り返し縁を含んでいる。
【００１０】
好ましくは、折り返し縁は、ポット壁を外側に曲げることによって形成される折り返し部分と、折り返し部分の下側に設けられた肥厚リングを含んでいる。
【００１１】
好ましくは、折り返し縁は、上部開口部を囲む第一の環状部材を含んでいる。
【００１２】
好ましくは、折り返し縁は、上部開口部に接続された第二の環状部材で構成される。
【００１３】
好ましくは、折り返し縁の合計厚さＴ１は、次の条件：Ｔ１ ≧４ｍｍを満たしている。
【００１４】
好ましくは、折り返し縁は、ポット壁に相対する膨らみ部分を有し、膨らみ部分の厚さＴ２が次の条件：Ｔ２≧ ２ｍｍを満たしている。
【００１５】
好ましくは、内部ポットの底部は、平面ベースを含み、平面ベースの直径Ｄ１が以下の条件：１０ｍｍ ≦Ｄ１≦ ０．５Ｄを満たしている。
【００１６】
好ましくは、内部ポットの容量ＱがＱ ≦４Ｌの条件を満たしている場合、内部ポットの寸法は次の条件：２．１ <Ｄ /Ｈ < ２．８を満たしている。
【００１７】
好ましくは、内部ポットの容量Ｑが４Ｌ < Ｑ≦ ６Ｌの条件を満たしている場合は、上部開口部の内径Ｄが次の条件：２４０ｍｍ ≦ Ｄ≦２８０ｍｍを満たしている。
【００１８】
本考案はまた、内部ポットを開示し、内部ポットは、ポット壁をその中心軸を中心にして回転させることによって形成される回転体で、上部開口部を有しており、ポット壁の上側部分は真直ぐな壁であり、一方、ポット壁の下側部分は円弧形状の壁である。そして、円弧形状の壁は真直ぐな壁に接続されている。そこで、内部ポットの寸法は以下の条件：１／３ < Ｈ１/Ｈ <０．６５を満たし、ここで、Hは内部ポットの高さであり、そして、Ｈ１は真直ぐな壁の高さである。
【００１９】
本考案の内部ポットにおいて、真直ぐな壁の高さを上記の範囲内に制限することにより、内部ポットの加熱領域が増加され、それにより、加熱効率が改善され得る。加えて、ポット壁の下側部分を円弧形状の壁として設計することにより、調理中、食物はさらに均一に加熱され得、且つおよび水吸収はより均一である。
【００２０】
好ましくは、内部ポットの寸法は、次の条件：２ <Ｄ /Ｈ≦ ３を満たし、ここで、Ｄは、上部開口部の内径であり、Ｈは内部ポットの内側チャンバの高さである。
【００２１】
好ましくは、内部ポットの容量ＱがＱ≦４Ｌの条件を満たしている場合、内部ポットの寸法は次の条件：２．１< Ｄ / Ｈ <２．８を満たしている。
【００２２】
好ましくは、真直ぐな壁の高さＨ１は、次の条件：０．４５ <Ｈ１ /Ｈ < ０．５５を満たしている。
【００２３】
好ましくは、真直ぐな壁は、内部ポットの中心軸と平行、または特定の角度αを形成している。
【００２４】
好ましくは、角度αの値の範囲は、０°≦ α ≦ ３０°である。
【００２５】
好ましくは、角度αの値の範囲は、０°≦ α ≦ １５°である。
【００２６】
好ましくは、内部ポットの底部は平面ベースを含み、そして平面ベースの直径Ｄ１は
次の条件：１０ｍｍ ≦Ｄ１ ≦ ０．５Ｄを満たし、ここで、Ｄは上部開口部の内径である。
【００２７】
好ましくは、内部ポットの容量Ｑが４Ｌ < Ｑ ≦ ６Ｌの条件を満たしている場合、上部開口部の内径Ｄが次の条件：２４０ｍｍ ≦ Ｄ ≦２８０ｍｍを満たしている。
【００２８】
本考案の別の態様によると、電気炊飯器が提供され、電気炊飯器は、内に内部ポットが設けられる調理器本体であって、内部ポットはポット壁をそれの中心軸の回りに回転させることにより形成される回転体で、上部開口部を有しており、内部ポットの寸法は次の条件：２ <Ｄ /Ｈ ≦ ３を満たしており、ここで、Ｄは上部開口部の内径であり、Ｈは内部ポットの内側チャンバの高さである調理器本体と、蓋本体であって、調理器本体の上方に旋回可能に接続され、そして蓋本体と内部ポットの間に調理用空間を形成するべく構成されている蓋本体とを含んでいる。
【００２９】
本考案の電気炊飯器においては、内部ポットの内側チャンバの高さに対する内部ポットの上部開口部の内径の比を上記範囲内に設定することにより、内部ポットの上部開口部がより広くなり、そして内部ポットの高さが相対的に小さくなるので、内部ポット内の食材の厚さが効果的に減少され、且つ内部ポットの加熱領域が効果的に増大される。その結果、特に、内部ポット内の液体が沸騰していなかった場合も、食材が均一に加熱され得る。
【００３０】
本考案はまた、電気炊飯器を開示し、電気炊飯器は、内部に内部ポットと温度測定装置が設けられる調理器本体であって、内部ポットは、ポット壁をそれの中心軸の回りに回転させることにより形成され、上部開口部を有する回転体であり、ポット壁の上側部分は真直ぐな壁で、一方、ポット壁の下側部分は円弧形状の壁であり、円弧形状の壁は真直ぐな壁に接続されており、内部ポットの寸法は次の条件：１／３ <Ｈ１ /Ｈ < ０．６５を満たし、ここで、Ｈは内部ポットの内側チャンバの高さであり、Ｈ１は真直ぐな壁の高さである調理器本体、および蓋本体であって、調理器本体の上方に開閉可能な方式で設けられ、蓋本体と内部ポットの間に調理用空間を形成するように構成されている蓋本体を含んでいる。
【００３１】
本考案の電気炊飯器では、真直ぐな壁の高さを上記の範囲内に制限することにより、内部ポットの加熱領域を増加させることができ、これにより、加熱効率を改善することができる。加えて、ポット壁の下側部分を円弧形状の壁として設計することにより、食物が調理中により均一に加熱され、且つ水吸収がより均一となる。
【００３２】
好ましくは、内部ポットの寸法が、次の条件：２ < Ｄ / Ｈ ≦3を満たし、ここで、Ｄは上部開口部の内径である。
【００３３】
好ましくは、内部ポットの容量ＱがＱ≦４Ｌの条件を満たしている場合、内部ポットの寸法が次の条件：２．１ <Ｄ / Ｈ < ２．８を満たしている。
【００３４】
好ましくは、真直ぐな壁の高さＨ１は、次の条件：０．４５ <Ｈ１/Ｈ < ０．５５を満たしている。
【００３５】
好ましくは、移行隅肉の部分が、円弧形状の壁と真直ぐな壁の接合部に設けられ、および移行隅肉の部分の内側表面の半径Ｒは次の条件：Ｒ≦１５ｍｍを満たしている。
【００３６】
好ましくは、真直ぐな壁は、内部ポットの中心軸と平行または特定の角度αを形成している。
【００３７】
好ましくは、角度αの値の範囲は、０°≦ α ≦３０°である。
【００３８】
好ましくは、角度αの値の範囲は、０°≦ α ≦１５°である。
【００３９】
好ましくは、ポット壁は、上部開口部に配置され、外方に延在する折り返し縁を含む。
【００４０】
好ましくは、折り返し縁は、ポット壁を外方に曲げることによって形成された折り返し部分と、折り返し部分の下側に設けられた肥厚リングを含む。
【００４１】
好ましくは、折り返し縁は、上部開口部を囲む第一の環状部材を含んでいる。
【００４２】
好ましくは、折り返し縁は、上部開口部に接続された第二の環状部材で構成されている。
【００４３】
好ましくは、折り返し縁の合計厚さＴ１は、次の条件：Ｔ１ ≧ ４ｍｍを満たす。
【００４４】
好ましくは、折り返し縁は、ポット壁に相対する膨らみ部分を有し、膨らみ部分の厚さＴ２は次の条件：Ｔ２ ≧ ２ｍｍを満たす。
【００４５】
好ましくは、ポット壁の厚さはＴ３であり、そして折り返し縁の高さＨ２は、次の条件：Ｔ３ ≦Ｈ２ ≦Ｈ１を満たす。
【００４６】
好ましくは、内部ポットの底部は、平面ベースを含み、平面ベースの直径Ｄ１は次の条件：１０ｍｍ ≦Ｄ１ ≦ ０．５Ｄを満たし、ここで、Ｄは上部開口部の内径である。
【００４７】
好ましくは、内部ポットの容量Ｑが４Ｌ < Ｑ ≦ ６Ｌの条件を満たしているとき、上部開口部の内径Ｄは次の条件：２４０ｍｍ ≦ Ｄ ≦ ２８０ｍｍを満たしている。
【００４８】
本考案は、内側に内部ポットが設けられる調理器本体を含む電気圧力調理器をさらに開示し、内部ポットは、ポット壁をその中心軸の回りに回転させることによって形成され、上部開口部を有する回転体であり、そこで内部ポットの寸法は、次の条件：２ < Ｄ /Ｈ≦３を満たし、ここで、Ｄは上部開口部の内径であり、Ｈは内部ポットの内側チャンバの高さであり、且つ、調理器本体留め金構造が調理器本体に設けられ、そして、蓋本体留め金機構が設けられている蓋本体が設けられ、蓋本体留め金機構を調理器留め金構造に留めることによって、蓋本体は調理器本体に旋回可能に接続され、そして、蓋本体が調理器本体を覆うとき、蓋本体と内部ポットの間に調理用空間が形成される。
【００４９】
本考案の電気圧力調理器では、内部ポットの内側チャンバの高さに対する内部ポットの上部開口部の内径の比率を、上記の範囲内に設定することによって、内部ポットの上部開口部がより広く、内部ポットの高さが相対的に小さくなり、結果として、内部ポット内の食材の厚さが、効果的に減少され、内部ポットの加熱領域が効果的に増大される。その結果、食材が、特に、内部ポット内の液体が沸騰していなかった場合も、均一に加熱され得る。
【００５０】
好ましくは、ポット壁の上側部分は真直ぐな壁であり、一方、ポット壁の下側部分は円弧形状の壁であって、円弧形状の壁は真直ぐな壁に接続されており、そして、移行隅肉部分は、円弧形状の壁と真直ぐな壁との接合部に設けられ、移行隅肉部分の内側表面の半径Ｒは、次の条件：Ｒ ≦１５ｍｍを満たしている。
【００５１】
好ましくは、内部ポットの容量ＱがＱ≦４Ｌの条件を満たしている場合、内部ポットの寸法は次の条件：２．１ <Ｄ /Ｈ < ２．８を満たす。
【００５２】
好ましくは、真直ぐな壁の高さH1は、次の条件：０．４５ <Ｈ１ / Ｈ <０．５５を満たす。
【００５３】
好ましくは、真直ぐな壁の高さH1は、以下の条件：１／３ <Ｈ１ / Ｈ <０．６５を満たす。
【００５４】
好ましくは、真直ぐな壁は、内部ポットの中心軸に平行、または特定の角度αを形成する。
【００５５】
好ましくは、角度αの値の範囲は、０°≦ α ≦３０°である。
【００５６】
好ましくは、角度αの値の範囲は、０°≦ α ≦１５°である。
【００５７】
好ましくは、ポット壁は、上部開口部に配置され外方に延在長している折り返し縁を含む。
【００５８】
好ましくは、折り返し縁は、ポット壁を外側に曲げることによって形成される折り返し部分と、折り返し部分の下側に設けられた肥厚リングを含んでいる。
【００５９】
好ましくは、折り返し縁は、上部開口部を囲む第一の環状部材を含む。
【００６０】
好ましくは、折り返し縁は、上部開口部に接続された第二の環状部材で構成されている。
【００６１】
好ましくは、折り返し縁の合計厚さＴ１は、次の条件：Ｔ１≧ ４ ｍｍを満たす。
【００６２】
好ましくは、折り返し縁は、ポット壁に相対する膨らみ部分を有し、膨らみ部分の厚さＴ２は、次の条件：Ｔ２≧２ ｍｍを満たす。
【００６３】
好ましくは、ポット壁の厚さはＴ３であり、真直ぐな壁の高さはＨ１であり、折り返し縁の高さＨ２は、次の条件：Ｔ３ ≦Ｈ２ ≦ Ｈ１を満たす。
【００６４】
好ましくは、内部ポットの底部は平面ベースを含み、平面ベースの直径Ｄ１が以下の条件：１０ ｍｍ ≦ Ｄ１ ≦ ０．５Ｄを満たす。
【００６５】
内部ポットの容量Ｑが４Ｌ < Ｑ ≦６Ｌの条件を満たしている場合は、上部開口部の内径Ｄが次の条件：２４０ ｍｍ ≦ Ｄ ≦２８０ ｍｍを満たしていることが好ましい。
【００６６】
本考案はまた、内側に内部ポットと温度測定装置が設けられる調理器本体を含む電気圧力調理器を開示し、内部ポットは、ポット壁をその中心軸の回りに回転させることにより形成され、そして上部開口部を有する回転体であり、ポット壁の上側部分は真直ぐな壁である一方、下側の部分は円弧形状の壁であり、円弧形状の壁は真直ぐな壁に接続され、そこで内部ポットの寸法は次の条件：１／３< Ｈ１ /Ｈ <０．６５を満たし、ここで、Ｈは内部ポットの内側チャンバの高さ、Ｈ１は真直ぐな壁の高さであり、および調理器本体に設けられている調理器本体留め金構造、および蓋本体留め金機構が設けられている蓋本体を含み、蓋本体の留め金機構を調理器本体留め金構造に留めることによって、蓋本体は開閉可能な方式で調理器本体の上方に設けられ、そして、蓋本体が調理器本体を覆うとき、蓋本体と内部ポットの間に調理用空間が形成される。
【００６７】
本考案の電気圧力調理器においては、真直ぐな壁の高さを上記範囲内に制限することによって、内部ポットの加熱領域が増大され、それにより、加熱効率が改善され得る。加えて、ポット壁の下側部分を円弧形状の壁として設計することによって、調理中、食品はさらに均一に加熱され、および水吸収はより均一となる。
【００６８】
好ましくは、内部ポットの寸法は、次の条件：２ < Ｄ / Ｈ ≦ ３を満たしており、ここで、Ｄは上部開口部の内径である。
【００６９】
好ましくは、内部ポットの容量ＱがＱ ≦ ４Ｌの条件を満たしている場合、内部ポットの寸法は次の条件：２．１ < Ｄ /Ｈ< ２．８を満たす。
【００７０】
好ましくは、真直ぐな壁の高さＨ１は、次の条件：０．４５ <Ｈ１ /Ｈ <０．５５を満たす。
【００７１】
好ましくは、移行隅肉部分は、円弧形状の壁と真直ぐな壁との接合部に設けられ、および移行隅肉部分の内側表面の半径Ｒは、次の条件：Ｒ ≦１５を満たす.
好ましくは、真直ぐな壁は、内部ポットの中心軸に平行、または特定の角度αを形成している。
【００７２】
好ましくは、角度αの値の範囲は、０°≦ α ≦３０°である。
【００７３】
好ましくは、角度αの値の範囲は、０°≦ α ≦１５°である。
【００７４】
好ましくは、ポット壁は、上部開口部に配置され外方に延在している折り返し縁を含む。
【００７５】
好ましくは、折り返し縁は、ポット壁を外側に曲げることによって形成された折り返し部分と、折り返し部分の下側に設けられた肥厚リングを含む。
【００７６】
好ましくは、折り返し縁は、上部開口部を囲む第一の環状部材を含む。
【００７７】
好ましくは、折り返し縁は、上部開口部に接続された第二の環状部材で構成される。
【００７８】
好ましくは、折り返し縁の合計厚さＴ１は、次の条件：Ｔ１≧ ４ｍｍを満たす。
【００７９】
好ましくは、折り返し縁は、ポット壁に相対する膨らみ部分を有し、膨らみ部分の厚さＴ２が次の条件：Ｔ２ ≧２ｍｍを満たしている。
【００８０】
好ましくは、ポット壁の厚さはＴ３であり、折り返し縁の高さＨ２は次の条件：Ｔ３ ≦ Ｈ２ ≦Ｈ１を満たす。
【００８１】
好ましくは、内部ポットの底部は平面ベースを含み、平面ベースの直径Ｄ１は次の条件：１０ｍｍ ≦ Ｄ１ ≦０．５Ｄを満たし、ここで、Ｄは上部開口部の内径である。
【００８２】
好ましくは、内部ポットの容量Ｑが４Ｌ <Ｑ ≦ ６Ｌの条件を満たしている場合、上部開口部の内径Ｄは次の条件：２４０ｍｍ≦Ｄ≦２８０ｍｍを満たす。
【図面の簡単な説明】
【００８３】
本考案の一部を構成している以下の図面が、本考案の実施形態の理解を提供するために含まれている。図面に示されている本考案の実施形態とそれの記述は、本考案の原理を説明するために使用されている。
【図１】図１は、本考案の好ましい実施形態による内部ポットの断面図である。
【図２】図２は、本考案の別の好ましい実施形態による内部ポットの断面図である。
【図３】図３は、本考案のさらに別の好ましい実施形態による内部ポットの断面図である。
【図４】図４は、本考案の好ましい実施形態による内部ポットの上面図である。
【図５】図５は、図１の内部ポットの別の断面図である。
【図６】図６は、図５における好ましい実施形態のＡ部分の部分拡大図である。
【図７】図７は、図５における別の好ましい実施形態のＡ部分の部分拡大図である。
【図８】図８は、図５におけるさらに別の好ましい実施形態のＡ部分の部分拡大図である。
【図９】図９は、本考案の好ましい実施形態による電気炊飯器の斜視図である。
【考案を実施するための形態】
【００８４】
以下、本考案をより完全に理解するために、多数の特定の詳細が提供される。しかしながら、これらの詳細の１つ以上を使用しなくても、本考案の実施形態が実施され得ることは、当業者にとっては明らかであろう。他の実施例において、本考案の実施形態との混同を避けるために、当該技術分野でよく知られているいくつかの技術的特徴は省略されている。
【００８５】
本考案の実施形態を完全に理解するために、詳細な構造が以下の説明において提供されるであろう。外見上、本考案の実施形態の実施形態は、当業者に知られている特別な細部に限定されない。本考案の好ましい実施形態は、以下で詳細に説明される。しかしながら、これらの詳細な説明に加えて、本考案は他の実施形態をも有することができる。
【００８６】
本考案の好ましい実施形態による内部ポットが、以下に詳細に説明される。
【００８７】
図１に示されるように、本考案の内部ポット１３０は、金属材料で作られてもよいポット壁１３２を含んでいる。内部ポット１３０は、ポット壁１３２をその中心軸を中心に回転させることによって形成される回転体である。ポット壁１３２は、円形の上部開口部１３１を有している。内部ポット１３０の容量Ｑは、概ね６Ｌ（リットル）未満である。例えば、内部ポット１３０の容量は、５Ｌ、４Ｌ等、である。内部ポットの１３０の寸法は、次の条件を満たしている。  
２ < Ｄ/ Ｈ ≦ ３  
（ここで、Ｄは、ポット壁１３２の上部開口部１３１の内径であり、Ｈは、内部ポット１３０の内側チャンバの高さである。）例えば、ある実施形態では、Ｄ /Ｈが、２．５または３に等しい場合もある。この解決策では、内部ポット１３０の内側チャンバの高さＨに対する上部開口部１３１の内径Ｄの比率をこの範囲内に設定することにより、内部ポット１３０の上部開口部１３１がより広く、且つ内部ポット１３０の高さは比較的小さくなり得、その結果、内部ポット１３０内の食材の厚さが効果的に減少され、且つ内部ポット１３０の加熱領域が効果的に増大され得る。結果的に、食材は、特に、内部ポット内の液体が沸騰されていない場合に、均一に加熱される。
【００８８】
引き続き、図１を参照するに、内部ポット１３０の中心軸を通過する縦方向の断面図（図１に示されている断面図）において、ポット壁１３２の上側部分は、内部ポットの中心軸に平行である真直ぐな壁１３３であり、一方、ポット壁１３２の下側部分は円弧形状の壁１３４である。換言すると、ポット壁１３２の上部はほぼ円筒形であり、ポット壁１３２の下部はほぼ半球形である。上部開口部１３１は、真直ぐな壁１３３の頂部にあり、円弧形状の壁１３４は、真直ぐな壁１３３の下方に接続されている。円弧形の壁１３４の断面の最大内径は、真直ぐな壁１３３の断面の内径と同じであり、そして最大内径は共に上部開口部１３１の内径Ｄに等しい。
【００８９】
さらに、図１を継続して参照するに、移行隅肉部分１３８が、円弧形状の壁１３４と真直ぐな壁１３３の接合部に設けられ、そして、移行隅肉部分１３８の半径Ｒは、以下の条件：Ｒ≦１５ｍｍを満たす。例えば、移行隅肉部分の半径Ｒは、１２ｍｍ、１３ｍｍ等であってもよい。この解決策によると、加工が便利であり、コストが低くなるので、製品化が完全に実現される。
【００９０】
別の実施形態において、図２に示されるように、真直ぐな壁１３３は、内部ポット１３０の中心軸と平行でなくてもよく、内部ポット１３０の中心軸と一定の角度αを成している。好ましくは、角度αの値の範囲は、０°≦ α ≦３０°である。さらに、好ましくは、角度αの値の範囲は、０°≦ α ≦１５°である。
【００９１】
まだ別の実施形態では、図３に示されているように、内部ポット１３０の中央軸を通過する縦方向の断面図（つまり、図３に示されている断面図）において、全体のポット壁１３２が弧状の壁であり、上記の実施形態で説明された真直ぐな壁を含んでいない。この技術的な解決策によれば、内部ポットの製造が容易であり、内部ポットの加熱効果がより向上され得る。
【００９２】
図１に戻って、ポット壁１３２の真直ぐな壁１３３の高さＨ１は、次の条件１／３ < Ｈ１ / Ｈ <０．６５を満たしている。例えば、Ｈ１ /Ｈは、０．４、０．４５等に等しくてもよい。この解決策によれば、円弧形状の壁１３４の高さが適切に増加され得るので、内部ポット１３０の加熱領域が増加され、且つ食材が均一に加熱され得る。
【００９３】
好ましい解決策として、内部ポット１３０の容量Ｑは次の条件：Ｑ ≦ ４Ｌを満たし、および内部ポット１３０の寸法は次の条件：２．１ < Ｄ /Ｈ < ２．８を満たす。例えば、Ｄ / Ｈは、２．５、２．６等である。したがって、内部ポット１３０内の食材の厚さが効果的に減少され、且つ内部ポット１３０の加熱領域が効果的に増大されるので、食材が均一に加熱され得る。さらに、好ましくは、真直ぐな壁１３３の高さＨ１は、次の条件：０．４５ < Ｈ１/Ｈ<０．５５を満たしている。例えば、Ｈ１ / Ｈは０．５に等しくてもよい。
【００９４】
別の好ましい解決策として、内部ポットの容量Ｑは次の条件：４Ｌ <Ｑ ≦６Ｌを満たし、且つ上部開口部１３１の内径Ｄが次の条件：２４０ｍｍ ≦Ｄ ≦２８０ｍｍを満たしている。例えば、Ｄは２６０ｍｍ、２７０ｍｍ等である。
【００９５】
内部ポットの安定性を確保し、且つ内部ポットの転倒を防ぐために、図１〜４に示されているように、好ましくは、内部ポット１３０の底部に円形の平面ベース１３５が存し、そして平面のベース１３５は円弧形状の壁１３４の底部に設けられている。さらに、好ましくは、平面ベース１３５の直径Ｄ１は、次の条件：１０ｍｍ ≦ Ｄ１ ≦ ０．５Ｄを満たしている。この解決策を使用すると、内部ポット１３０の安定性がさらに維持され得る。
【００９６】
図５を参照するに、ポット壁１３２は、上部開口部１３１に配置され、外側に延在する折り返し縁１３６を含んでいる。好ましくは、折り返し縁１３６は、円周方向に連続的に配置されている。この解決策によれば、製造に便利であり、折り返し縁１３６の強度が向上され得る。加えて、この折り返し縁１３６を保持することによって、ユーザーが内部ポット１３０を持ち上げるのにも便利である。
【００９７】
好ましくは、折り返し縁１３６の合計厚さＴ１は、次の条件：Ｔ１ ≧ ４ｍｍを満たしている。例えば、折り返し縁１３６の合計厚さＴ１は、５ｍｍ、６ｍｍ等である。この解決策によれば、電気炊飯器、または電気圧力調理器のような調理器具の蓋本体が調理器本体を覆うとき、蓋本体の折り返し縁１３６との接触領域が増大され、結果として、調理器具の気密性が改善される。
【００９８】
図５を継続して参照するに、折り返し縁１３６は、ポット壁１３２に対して半径方向外方に向かって延在する膨らみ部分１３７を有している。好ましくは、膨らみ部分１３７の厚さＴ２は、次の条件：Ｔ２ ≧ ２ｍｍを満たしている。例えば、膨らみ部分１３７の厚さＴ２は、３ｍｍ、３．５ｍｍ等であってもよい。この解決策によれば、調理器本体内に入れたときの内部ポット１３０の安定性が改善される。
【００９９】
好ましくは、折り返し縁１３６の高さＨ２（図１に示されている）は、以下の条件：ポット壁１３２の厚さＴ３が条件：Ｔ３ ≦ Ｈ２ ≦Ｈ１を満たすことを満たしている。この解決策によれば、折り返し縁１３６の強度が高められる。
【０１００】
折り返し縁は、図５に示されている構造のほかに、他の構造のものであってもよく、これらの構造が以下に簡単に説明される。
【０１０１】
好ましい実施形態では、図６に示されるように、折り返し縁２３６は、ポット壁２３２を外側に曲げることによって形成された折り返し部分２３３を含んでおり、折り返し部分２３３の下側に肥厚リング２３４が設けられている。肥厚リング２３４は、溶接、鋳造、またはその他の方法で、折り返し部分２３３の下側に接続されてもよい。
【０１０２】
別の好ましい実施形態では、図７に示されるように、折り返し縁３３６は、上部開口部に設けられ、そしてポット壁３３２の外側からポット壁３３２を取り囲む第一の環状部材３３７を含んでいる。第一の環状部材３３７は、ポット壁３３２に溶接されてもよい。
【０１０３】
まだ別の好ましい実施形態では、図８に示されるように、折り返し縁４３６は、上部開口部の頂部においてポット壁４３２に接続されている第二の環状部材４３７で構成されている。第二の環状部材４３７は、ポット壁４３２に溶接されてもよい。
【０１０４】
図９に示されるように、本考案はさらに電気炊飯器を開示している。電気炊飯器１００は、前述のように、蓋本体１１０、炊飯器本体１２０、内部ポット１３０を含んでいる。炊飯器本体１２０は、実質的に角の丸い立方体または円筒形状であり、円筒状の断熱材の囲いが炊飯器本体１２０の内側に設けられている。内部ポット１３０は、断熱材の囲いの中に自由に入れられたり、そこから取り出されたりすることができるので、内部ポット１３０をきれいにするのに便利である。炊飯器本体１２０は、内部ポット１３０を加熱するための加熱装置を含んでいる。加熱装置は、内部ポット１３０の底部に設けられてもよい。加熱装置は、例えば、電気加熱プレート、電磁誘導ヒータ等であってもよい。他の実施形態において、加熱装置はまた、内部ポット１３０の側部側に設けられてもよい。内部ポット１３０の温度を検知するための温度測定装置が、炊飯器本体１２０にさらに設けられている。
【０１０５】
蓋本体１１０は、実質的に角の丸い立方体の形状であり、そして実質的に炊飯器本体１２０の形状に対応している。蓋本体１１０は、炊飯器本体１２０を覆うように、開閉可能な方式で炊飯器本体１２０に旋回可能に接続されている。蓋本体１１０が炊飯器本体１２０を覆うとき、蓋本体１１０と内部ポット１３０の間に調理用空間が形成される。
【０１０６】
本考案はさらに、電気圧力調理器を開示している。電気圧力調理器の構造は、前述の電気炊飯器の構造と類似している。電気圧力調理器はまた、上記のように、調理器本体、蓋本体、内部ポット１３０も含んでいる。調理器本体の留め金構造が、一般に、電気圧力調理器の調理器本体に設けられ、且つ、調理器本体の留め金構造に調和する留め金機構が蓋本体に設けられる。蓋本体の留め金機構を調理器本体の留め金構造に留めることにより、蓋本体は開閉可能な方式で調理器本体を覆うことができる。蓋本体が調理器本体を覆うとき、蓋本体と内部ポットとの間に気密な調理用空間が形成される。
【０１０７】
電気炊飯器および電気圧力調理器のその他の構造は、この技術分野では知られているので、簡略化のために、これらの構造はここでは詳しく説明されない。
【０１０８】
特に定義されていない限り、ここで使用されている技術用語および科学用語は、当業者によって解釈される一般的な意味と同じ意味を有している。ここで使用されている用語は、本考案を制限するためではなく、むしろ単に特定の実施形態の目的を説明するためのものである。ここで使用されている「構成部品」などの用語は、単純な部品を表す場合もあれば、複数の部品の組み合わせを表す場合もある。ここで使用されている「取り付ける」または「配列する」などの用語は、一構成部品の他の構成部品への取り付け方向を表す、または一構成部品を中間の構成部品を介して他の構成部品に取り付けることを表すことができる。一つの実施形態に記載されている特徴は、この特徴が他の特徴に適用され得ないまたはそのように特定されていない限り、個々にまたは他の特徴と組み合わせて適用されてもよい。
【０１０９】
本考案は、上記の実施形態によって説明されているが、その実施形態は、図解および説明のためのものであり、説明された実施形態の範囲内に本考案を制限することが意図されたものではないことを理解すべきである。当業者は、さまざまな変換と修正が、本考案の教示に従ってなされ、およびそれらの変換と修正が考案の保護範囲に該当することを理解することができよう。
【図１】
0003226919.tif 000003
【図２】
0003226919.tif 000004
【図３】
0003226919.tif 000005
【図４】
0003226919.tif 000006
【図５】
0003226919.tif 000007
【図６】
0003226919.tif 000008
【図７】
0003226919.tif 000009
【図８】
0003226919.tif 000010
【図９】
0003226919.tif 000011
【手続補正書】
【提出日】令和2年1月30日(2020.1.30)
【手続補正１】
【補正対象書類名】実用新案登録請求の範囲
【補正対象項目名】全文
【補正方法】変更
【補正の内容】
【実用新案登録請求の範囲】
【請求項１】
内部ポットであって、前記内部ポットはポット壁をその中心軸の回りに回転させて形成され上部開口部を有する回転体であり、
ａ）前記内部ポットの寸法は、次の条件：２ < Ｄ/ Ｈ≦ ３（ここで、Ｄは、前記上部開口部の内径、Ｈは、前記内部ポットの内側チャンバの高さである）を満たし、
ｂ）前記ポット壁の上側部分は真直ぐな壁であり、一方、前記ポット壁の下側部分は円弧形状の壁であり、前記円弧形状の壁は真直ぐな壁に接続され、前記内部ポットの寸法は以下の条件：１／３ <Ｈ１ /Ｈ < ０．６５（ここで、Ｈは内部ポットの高さであり、そして、Ｈ１は真直ぐな壁の高さである）を満たすことを特徴とする内部ポット。
【請求項２】
前記ポット壁は、前記上部開口部に配置され、外方に延在している折り返し縁を含んでいることを特徴とする請求項１に記載の内部ポット。
【請求項３】
前記折り返し縁は、前記ポット壁を外側に曲げることによって形成される折り返し部分と、前記折り返し部分の下側に設けられた肥厚リングとを含むことを特徴とする請求項２に記載の内部ポット。
【請求項４】
前記折り返し縁は、前記上部開口部を囲む第一の環状部材を含むことを特徴とする請求項２に記載の内部ポット。
【請求項５】
前記折り返し縁は、前記上部開口部に接続された第二の環状部材で構成されることを特徴とする請求項２に記載の内部ポット。
【請求項６】
前記折り返し縁の合計厚さＴ１は、次の条件：Ｔ１ ≧４ｍｍを満たすことを特徴とする請求項２〜５のいずれか一項に記載の内部ポット。
【請求項７】
前記折り返し縁は、前記ポット壁に相対する膨らみ部分を有し、前記膨らみ部分の厚さＴ２が次の条件：Ｔ２ ≧２ｍｍを満たすことを特徴とする請求項２〜５のいずれか一項に記載の内部ポット。
【請求項８】
前記ポット壁の厚さはＴ３であり、前記真直ぐな壁の高さはＨ１であり、前記折り返し縁の高さはＨ２であり、前記折り返し縁の高さＨ２は、次の条件：Ｔ３ ≦Ｈ２≦Ｈ１を満たすことを特徴とする請求項２〜５のいずれか一項に記載の内部ポット。
【請求項９】
前記内部ポットの容量ＱがＱ ≦４Ｌの条件を満たしている場合、前記内部ポットの寸法が次の条件：２．１ < Ｄ /Ｈ <２．８を満たす請求項１に記載の内部ポット。
【請求項１０】
前記真直ぐな壁の高さＨ１は、次の条件：０．４５ <Ｈ１/ Ｈ <０．５５を満たすことを特徴とする請求項１に記載の内部ポット。
【請求項１１】
前記真直ぐな壁は、内部ポットの中心軸と平行、または特定の角度αを形成し、
前記角度αの値の範囲は、０°≦ α ≦ ３０°であり、好ましくは前記角度αの値の範囲は、０°≦ α ≦１５°であることを特徴とする請求項１に記載の内部ポット。
【請求項１２】
前記内部ポットの容量Ｑが４Ｌ<Ｑ ≦６Ｌの条件を満たしている場合は、前記上部開口部の内径Ｄが次の条件： ２４０ｍｍ ≦Ｄ ≦２８０ｍｍを満たすことを特徴とする請求項１に記載の内部ポット。
【請求項１３】
移行隅肉部分が、前記円弧形状の壁と前記真直ぐな壁との接合部に設けられ、前記移行隅肉部分の内側表面の半径Ｒは、次の条件：Ｒ ≦ １５ｍｍを満たす請求項１に記載の内部ポット。
【請求項１４】
電気炊飯器であって、前記電気炊飯器は、
内側に請求項１〜１３のいずれか一項に記載の内部ポットおよび任意選択的に温度測定装置が設けられる調理器本体と、
蓋本体であって、前記調理器本体の上方に旋回可能に接続され、または、前記調理器本体の上方に開閉可能な方式で設けられ、前記蓋本体と前記内部ポットの間に調理用空間を形成するべく構成されている蓋本体と、を含む電気炊飯器。
【請求項１５】
電気圧力調理器であって、
内側に請求項１〜１３のいずれか一項に記載の内部ポットおよび任意選択的に温度測定装置が設けられた調理器本体と、
蓋本体留め金機構が設けられている蓋本体であって、前記蓋本体留め金機構を調理器留め金構造に留めることによって、前記蓋本体は前記調理器本体に旋回可能に接続され、そして、前記蓋本体が前記調理器本体を覆うとき、前記蓋本体と前記内部ポットの間に調理用空間が形成される蓋本体と、を含む電気圧力調理器。